(57)【特許請求の範囲】
【請求項１】
基端に取手取り付け具を設けた取手本体に貫通部を形成し、該貫通部の一方にある第一の開口部に該第一の開口部を閉塞する第一の嵌入部材を設け、前記貫通部の他方にある第二の開口部に該第二の開口部を閉塞する第二の嵌入部材を設け、前記第一の嵌入部材の第一の外側を取手の一方の表面側とし、前記第二の嵌入部材の第二の外側を前記取手の他方の表面側とし、前記第一の嵌入部材の第一の内側と前記第二の嵌入部材の第二の内側とを凹凸嵌合させ、これら前記第一の内側と前記第二の内側と前記取手本体に棒材を貫通すると共に、該棒材を前記取手取り付け具又は前記取手本体に連結したことを特徴とする取手。
【発明の詳細な説明】
【技術分野】
【０００１】
本発明は、鍋、フライパン、湯沸し器等の容器の取手やお玉やフライ返しの取手或いは家具の取手などに利用される取手に関するものである。
【背景技術】
【０００２】
従来この種のものとして加熱調理容器の外側面に取り付けられる採り付け金具と、この採り付け金具に連結部材をもって連結される合成樹脂製の取手本体とを具備し、連結部材を採り付け金具に螺子結合してなる加熱調理容器用取手が知られている。
（例えば特許文献１）
【特許文献１】特開２００２−２８０９３号公報
【発明の開示】
【発明が解決しようとする課題】
【０００３】
前記従来技術においては、合成樹脂製の取手本体は一体品であったので、取手本体を剛性の高い強度のある材料で形成しないと取手を握った使用時に破損してしまうおそれがある。このような取手においては、例えば手が接触する箇所に弾力のある別の材料を設ける対策が施されていない。このため取手本体に別の材料を一体に設ける手段としては取手に凹部を形成すると共に、該凹部に別の材料からなる取手の表面を形成するものを接着により固定することが考えられる。
【０００４】
しかしながら、このようなものでは表面を形成したものの取手本体に対する採り付け強度を強固にできないという問題が懸念される。
【０００５】
解決しようとする問題点は、取手本体に該取手本体とは別に形成され取手の表面を形成する部材を確実に取手本体に固定する点である。
【課題を解決するための手段】
【０００６】
請求項１の発明は、基端に取手取り付け具を設けた取手本体に貫通部を形成し、該貫通部の一方にある第一の開口部に該第一の開口部を閉塞する第一の嵌入部材を設け、前記貫通部の他方にある第二の開口部に該第二の開口部を閉塞する第二の嵌入部材を設け、前記第一の嵌入部材の第一の外側を取手の一方の表面側とし、前記第二の嵌入部材の第二の外側を前記取手の他方の表面側とし、前記第一の嵌入部材の第一の内側と前記第二の嵌入部材の第二の内側とを凹凸嵌合させ、これら前記第一の内側と前記第二の内側と前記取手本体に棒材を貫通すると共に、該棒材を前記取手取り付け具又は前記取手本体に連結したことを特徴とする取手である。
【発明の効果】
【０００７】
請求項１の発明によれば、凹凸嵌合や該凹凸嵌合を貫通する棒材を介して取手本体、第一の嵌入部材、第二の嵌入部材を確実に容器や取手本体に固定することができる。
【発明を実施するための最良の形態】
【０００８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【０００９】
図１〜図４は実施例１を示しており、この実施例は両手鍋の場合を示している。両手鍋は有底な容器１の側面２の外側に左右一対の第一の取手３と第二の取手４を設けたものである。第一の取手３は側面２に連結すると共に外側に横向にして片持ち状に突設したものである。この第一の取手３は、側面２の上部に固定した取り付け具５と、この取り付け具５に基端６を連結する取手本体７とを備える。
【００１０】
取り付け具５は金具状であって、第一の取手３の基端６側を嵌合する側面がロ字形状で外側に開口した外嵌合口部８と、この外嵌合口部８の内側に設けられ平面がコ字形状であってその両端を側面２に固定した後述する棒材９の連結受け具10から構成される。この連結受け具10の突出端には後述する軸線11と一致するように連結受け部としての雌螺子部12が設けられている。尚、棒材９は鉄系など金属材料により形成され軸によって形成されている。
【００１１】
前記取手本体７は、外側に横向となって突設する細長形状であって、硬質合成樹脂によって形成される。そして、この取手本体７の平面中央に上下方向の貫通部13を孔状に設ける。この貫通部13は取手本体７の長手方向の軸線11に沿って細長形状に形成され、また貫通部13における長手方向の長さＡにおいては、一方である上部にある上部開口部14の長さが、貫通部13の内側の長さより段部を介して大きく形成されていると共に、他方である下部にある下部開口部15の長さが、貫通部13の内側の長さより段部を介して大きく形成されている。さらに、長手方向の軸線11と直交する貫通部13の幅Ｂにおいては、基端６側より取手本体７の先端16側が大きく形成されている。実施例では、貫通部13の上下方向の中間部に前記上下一致の段部により中間貫通部13Ｍが形成されており、この中間貫通部13Ｍの軸線方向11の長さＣは前記長さＡより小さく（Ｃ＜Ａ）、さらに中間貫通部13Ｍの幅Ｄは前記幅Ｂより小さく形成されており（Ｄ＜Ｂ）、この中間貫通部13Ｍに後述する第一の内側19、第二の内側22が上下方向から嵌合して凹凸嵌合24するようになっている。したがって、第一の内側19、第二の内側22は第一の外側20、第二の外側23よりそれぞれ長さ、幅とも小さくなっている。
【００１２】
そして、上部開口部14に第一の挿入部材である第一の嵌入部材17を嵌入し、下部開口部15に第二の挿入部材である第二の嵌入部材18を嵌入する。第一の嵌入部材17は取手本体７とは異なる色彩を有しシリコン樹脂、ゴム、エラストマーなど軟質材によって形成されたものであり、その第一の外側20の外縁は第一の上部開口部14の縁と同形か或いはやや大きく形成されて嵌合していると共に、その下部たる第一の内側19の面は取手本体７の厚みのほぼ半分程度の厚みを有して、長手方向長さや幅は第一の内側19へ段部を介して短く形成されている。そして、第一の嵌入部材17の第一の外側20の面は取手本体７の表面21と同一面に設けられている。一方、第二の嵌入部材18は第一の嵌入部材17と同じ色彩を有しシリコン樹脂、ゴム、エラストマーなど軟質材によって形成されたものであり、その第二の外側23の外縁は第一の下部開口部15の縁と同形或いはやや大きく形成されると共に、その上部たる第二の内側22の面は取手本体７の厚みのほぼ半分程度の厚みを有して、軸線11方向長さや幅は第二の内側22へ段部を介して短く形成されている。そして、第二の嵌入部材18の第二の外側23の面は取手本体７の下面の表面21と同一面に設けられている。
【００１３】
さらに、第一の内側19の面と第二の内側22の面は凹凸嵌合24によって係止する。この凹凸嵌合24は、取手本体７の厚みのほぼ半分の位置で、第一の内側19の面に、長手方向において基端６側より先端16側にかけて上方へ凹設する凹部25、下向きの凸部26、上方へ凹設する凹部27、下向きの凸部28等が形成される。一方、第二の内側22の面に、長手方向において基端６側より先端16側にかけて上向きの凸部29、下方へ凹設する凹部30、上向きの凸部31、下方へ凹設する凹部32等が形成される。そして、凹部25に凸部29、凸部26に凹部30、凹部27に凸部31、凸部28に凹部32がそれぞれ嵌合するようになっている。そして、凸部26、凸部28、凸部29、凸部31に軸線11方向に貫通した貫通孔33が形成される。またこの貫通孔33と連通して基端６側と先端16側にそれぞれ貫通孔33と一直線状の貫通孔33Ｄ、33Ｅが形成されている。尚、この凹凸嵌合24においては、第一の嵌入部材17、第二の嵌入部材18はそれぞれ、シリコン樹脂、ゴム、エラストマーなど軟質材によって形成されたことにより、例えば凹部30より凸部26をやや大きく形成しておくことで凹部30に凸部26を圧入させて圧着状態とすることで、隙間無く凹凸嵌合24することができる。
【００１４】
前記凹凸嵌合24箇所を一直線状に貫通するように取手本体７の固定用棒材９を設ける。このために凹凸嵌合24の箇所には基端６から先端16にかけて一直線状となった貫通孔33が形成されており、一端に雄螺子部34を形成した棒材９の一端を先端16側から貫通孔33に貫通し、この雄螺子部34を連結受け具10に設けた雌螺子部12に螺着することで、棒材９の他端にある膨出部からなる係止部35が先端16面に係止されることで、取手本体７が連結受け具10、ひいては容器１の側面２に固定できるようになっている。
【００１５】
尚、図中36は取手本体７の基端６の面に長手方向に向けて凹設した取り付け用の凹部36であり、連結受け具10が挿入して取り付け用の凹部36の奥面に連結受け具10の突出面が当接するようになっている。
【００１６】
次に取り付け方法について説明する。まず、貫通部13の上方から第一の嵌入部材17を嵌入すると共に、下方から第二の嵌入部材18を嵌入する。この際、第一の内側19と第二の内側22を凹凸嵌合24により嵌合する。さらに取手本体７の先端16を外嵌合口部８に嵌合して、取り付け用の凹部36に連結受け具10を挿入させる。そして、取手本体７の先端16より棒材９を貫通孔33Ｅを介して軸線11方向に挿通することで、該棒材９の一端は凹凸嵌合24箇所を一直線状に貫通し、さらに貫通孔33Ｄを貫通した後に、棒材９を回動すると連結受け具10の雌螺子部12に雄螺子部34が螺着することで、棒材９の他端の係止部35が取手本体７の先端16の面に係止し、取手本体７を連結受け具10、ひいては容器１に固定することができる。
【００１７】
したがって、使用時にあっては第一の取手３を握ったときに、弾性を有すると共に滑りにくい材料によって形成された第一の外側20と第二の外側23に指（図示せず）が当ることで、長時間握っても指が痛くならず、また指が滑ることもない。
【００１８】
尚、第二の取手４においても、第一の取手３と同様に第二の貫通部13Ａの上方から嵌入部材17Ａを嵌入すると共に、下方から嵌入部材18Ａを嵌入する。この際、内側19Ａと内側20Ａを凹凸嵌合24Ａにより嵌合する。さらに取手本体７Ａの基端６Ａを外嵌合口部８Ａに嵌合して、取り付け用の凹部36Ａに連結受け具10Ａを挿入させる。そして、取手本体７の先端16Ａより棒材９Ａを軸線11Ａ方向に貫通孔33Ｆを介して挿通することで、該棒材９Ａの一端は凹凸嵌合24Ａ箇所を一直線状に貫通した後に貫通孔33Ｇを介して連結受け具10Ａの雌螺子部12Ａに雄螺子部34Ａが螺着することで、棒材９Ａの他端の係止部35Ａが取手本体７の先端16の面に係止することで、取手本体７Ａを連結受け具10Ａ、ひいては容器１に固定することができる。
【００１９】
以上のように、前記実施例では取手本体７に貫通部13を形成し、この貫通部13の上部開口部14に第一の嵌入部材17を設け、貫通部13の下部開口部15に第二の嵌入部材18を設け、第一の嵌入部材17の第一の外側20を取手本体７の上面の表面21側とし、第二の嵌入部材18の第二の外側23を取手本体７の下面の表面21側とし、第一の嵌入部材17の第一の内側19の先端面と第二の嵌入部材18の第二の内側22の先端面とを係止させ、これら第一の内側19と第二の内側22に棒材９を貫通したことで、第一の嵌入部材17と第二の嵌入部材18とを第一の内側19と第二の内側22との係止、さらには第一の内側19と第二の内側22と取手本体７に棒材９を貫通したことで、取手本体７に対して第一の嵌入部材17、第二の嵌入部材18を確実に固定することができる。
【００２０】
さらに、第一の嵌入部材17の第一の内側19の先端面と第二の嵌入部材18の第二の内側22の先端面とを凹凸嵌合24として嵌合させることで、第一の内側19の先端面と第二の内側22の先端面とを確実に固定できると共に、棒材９を取り付け具５に連結したことで、凹凸嵌合24さらには凹凸嵌合24を貫通する棒材９を介して取手本体７、第一の嵌入部材17、第二の嵌入部材18を確実に容器１に固定することができる。
【００２１】
しかも、凹部30より凸部26を相対的にやや大きく形成しておくようなことで凹部30に凸部26を圧入させて圧着状態とすることで、隙間無く凹凸嵌合24することができるので、がたつきもなくすことができる。
【実施例２】
【００２２】
図５、図６は実施例２を示しており、前記実施例１と同一部分には同一符号を付し、その詳細な説明を省略する。実施例２は湯沸しや鍋の蓋41の上面に取手42を取り付けた場合を示しており、蓋41の上面の中央より偏位した箇所に固定した支柱状の一端側43と、この一端側43の上端に中央へ向けて斜め上向きの握り部となる他端側44とを片持ち状に備える。そして、他端側44に設けた貫通部13Ｂの上方から第一の嵌入部材17Ｂを嵌入すると共に、下方から第二の嵌入部材18Ｂを嵌入する。この際、第一の内側19Ｂと第二の内側22Ｂを凹凸嵌合24Ｂにより嵌合する。そして、取手本体７Ｂの先端16Ｂより棒材９Ｂを貫通孔33Ｈを介して軸線11Ｂ方向に挿通することで、該棒材９Ｂの一端は凹凸嵌合24Ｂ箇所を一直線状に貫通した後に、さらに一端側43に連通する挿入孔33Ｉを介して一端側43に内蔵された雌螺子部12Ｂに雄螺子部34Ｂが螺着することで、棒材９Ｂの他端の係止部35Ｂが取手本体７Ｂの先端16Ｂの面に係止し、第一の嵌入部材17Ｂと第二の嵌入部材18Ｂを取手本体７Ｂと一体に固定することができる。
【００２３】
以上のように、前記実施例では第一の嵌入部材17Ｂの第一の内側19Ｂの先端と第二の嵌入部材18Ｂの第二の内側22Ｂの先端とを凹凸嵌合24Ｂさせることで、第一の内側19Ｂと第二の内側22Ｂとを確実に固定できると共に、棒材９Ｂを取手本体７Ｂの一端側43に設けた雌螺子部12Ｂに連結したことで、棒材９Ｂを介して取手本体７Ｂ、第一の嵌入部材17Ｂ、第二の嵌入部材18Ｂを確実に固定することができる。
【産業上の利用可能性】
【００２４】
以上のように本発明に係る取手は、各種の用途に適用できる。例えば、実施例では取手は片持ち状のものを示したが、両持ち状のものでもよい。
【図面の簡単な説明】
【００２５】
【図１】本発明の実施例１を示す断面図である。
【図２】同平面図である。
【図３】同上方からの分解斜視図である。
【図４】同下方からの分解斜視図である。
【図５】本発明の実施例２を示す一部切り欠き正面図である。
【図６】同平面図である。
【符号の説明】
【００２６】
５ 取り付け具（取手取り付け具）
６ 基端
７ 取手本体
９ 棒材
13 貫通部
14 上部開口部（第一の開口部）
15 下部開口部（第二の開口部）
17 第一の嵌入部材
18 第二の嵌入部材
20 第一の外側
21 表面
22 第二の内側
23 第二の外側
24 凹凸嵌合
【図１】
0004853838.tif 000002
【図２】
0004853838.tif 000003
【図３】
0004853838.tif 000004
【図４】
0004853838.tif 000005
【図５】
0004853838.tif 000006
【図６】
0004853838.tif 000007